(57)【特許請求の範囲】
【請求項１】
モップに含まれる清掃水を絞るモップ絞り器であって、同絞り器は軸まわりに回動自在な受板および同受板と間隔を保って取り付けられた押し板を有し、上記モップを上記受板と押し板の間に挿入してモップ柄を押し下げると上記受板が上記軸まわりに回動して上記押し板および受板の間の狭まる間隔に上記モップが挟圧されて上記モップから清掃水が絞られるように構成され、かつ、上記絞り器は、絞られた上記清掃水を受ける水槽の上方支柱に脱着自在に懸架された構成を有することを特徴とするモップ絞り器。
【請求項２】
上記水槽が台車に搭載され、上記モップ絞り器が上記台車に固定された支柱に上記水槽の上方位置で脱着自在に懸架された構成を有することを特徴とする請求項１に記載のモップ絞り器。
【請求項３】
上記モップ絞り器が、その枠体内に配設された押し板と、上記押し板の下方に上記枠体内に回動自在にかつ上記押し板との間隔がモップの厚さよりも小さい間隔を有するように受板が配置されていることを特徴とする請求項１又は２に記載のモップ絞り器。
【発明の詳細な説明】
【０００１】
【発明の属する技術分野】
本発明は床などの拭き掃除に使用するモップを水で洗浄したときに、モップの水を絞り取るモップ絞り器、特に病院における洗浄に使用して好適なモップ絞り器に関するものである。
【０００２】
【従来の技術】
病院における床などの拭き掃除では、院内感染の予防のため、粉塵を巻き上げないで、埃と汚れを除去することが要求されるとともに、従来の清掃用モップよりも確実に埃と汚れが除去されることが必要である。
そこで、発明者は、上記目的に適応した粉塵回収率が高く、しかも清掃後の付着菌数の極めて少ない再生セルローススポンジを使用したモップ（以下、スイングモップと言う。）を用いている。
図１０及び図１１は、スイングモップａを図示したものであり、図１０はスイングモップａの斜視図、図１１はその部分拡大側面図である。ｂはハンドル、ｃはスライドグリップハンドル、ｄはサムスロット、ｅはリンケージ嵌合スロット、ｆはモップハンドル、ｇは金属リンクロッド、ｈは金属絞りワイヤー、ｉは絞りアーム、ｊはハンドルソケット、ｋはシュラウドボディー部分、ｌは金属パドル、ｍはスポンジモップパッドである。
【０００３】
操作においては、清掃時、モップａは図１０に示されるモッピング位置にあり、金属パドルｌは図１１の破線に示すように通常水平位置にあって、適正な水を含んだスポンジモップパッドｍで床を清掃する。ついで、水槽の水でスポンジモップｍを洗浄したのち、スポンジモップｍから水を除去する場合には、手動でスライドグリップハンドルｃをモップハンドルｂに沿って下げる。これによって金属リンクロットｇが下方に移動する。ついで金属リンクロットｇに回転自在に連結された金属絞りワイヤーｈ、ｈ及び絞りアームｉ、ｉが回動し、図示省略のスプリングの抵抗に抗して図１１中矢印に示すように金属パドルｌ、スポンジモップパッドｍは水平方向から垂直方向に回動し、スポンジモップパッドｍ、ｍが折り畳まれ水が絞り出される。
このスイングモップａでは、スポンジモップパッドｍを中央から二つ折りに曲げる方式なので、大きな腕力が必要であり、病院の清掃を主に担当している女性の腕力では足りない場合があり、軽い方式で水絞りができるものが要求されていた。
また、最近では、金属リンクロットｇがなく手動で直接金属絞りワイヤーｈ、ｈを下方に回転させて絞りアームｉ、ｉを回動させてスポンジモップパッドｍ、ｍを折り畳む方式に簡素化されているが、これでも水絞りでの腕力が必要となりその軽減化が要求されていた。
また、このスイングモップａでは、折り曲げを繰り返すことによってスポンジモップパッドｍの劣化が激しくその対策が望まれていた。
更に、このスイングモップａでは、折り曲げた際に、相対するスポンジモップパッドｍ、ｍに加わる圧力が長手方向の位置によって異なるため、絞り出された後のスポンジモップパッドｍ、ｍに含まれる水分が均一でなく、床掃除の場合に掃除ムラが生じることがあって、床掃除時のスポンジモップパッドｍ、ｍの水分が均一になる方策が要求されていた。
【０００４】
そこで、発明者は、上記問題を解決するため、スポンジモップパッドを取り付けたモップ及び上記スポンジモップパッドに含まれる清掃水を絞るモップ絞り器において、上記モップ及びモップ絞り器のうち一方に設けられた挿入体と、他の一方に設けられた上記挿入体の嵌合部材と、上記嵌合部材又は上記挿入体の下方で上記モップ絞り器に配設された受材と、上記挿入体又は上記嵌合部材と上記受材との間隔を変えることができる回動自在な可動機構と、からなるモップ及びモップ絞り器等を発明して特願２０００−４０４４３８号及び特願２００１−５９２４５号で特許出願した。
【０００５】
図１２及至図１６は特願２００１−５９２４５号で特許出願したものの第一実施例に係るものを図示したもので、図１２は斜視図、図１３は側断面である。また、図１４はスポンジ付きモップの正面図、図１５はその側面図、図１６はその作用説明図である。
図１２及至図１６において、３１は図示省略の清掃用水を貯留する箱形の水槽で、同水槽３１の上部は開口している。３２は水槽３１の前板、３３は水槽３１の側板、３４は水槽３１の後板、３５は側板３３，３３間に架設された円柱。なお、この円柱３５は固定でも回転自在でも良い。３６は円柱３５に載上されている受板、３７は受板３６の上方に適宜な間隔で側板３３，３３間に架設された押し板である。３８は押し板３７の両端に設けられ側板３３に回転自在な軸である。３９は押し板３７の前方に設けられた凹部である。４０は押し板３７の上面に固定された補強板、４１は受板３６と押し板３７とを固定する支柱、４２ａ，４２ｂは支柱４１の長さを調整する上部ナット、下部ナットである。そして、受板３６上面と押し板３７下面との間の支柱４１，４１の長さは、図１４及び図１５に示すスポンジ付きモップ４３のスポンジモップパッド４４とスポンジモップパッド４４を固定保持する金属板４５との厚さよりも小さい長さになるように上部ナット４２ａ又は下部ナット４２ｂで調整する。すなわち受板３６上面と押し板３７下面との最小間隔は、スポンジモップパッド４４が厚さ方向に適宜な厚さまで圧縮される程度の間隔である。なお、図１４および図１５において、４７は金属板４５とモップ柄４６とを固定する固定枠である。
【０００６】
このように構成された実施例において、まず、受板３６と押し板３７との間の支柱４１の長さが、図１４及び図１５に示すスポンジモップパッド４４と金属板４５との厚さよりもやや小さい間隔になるように上部・下部ナット４２ａ、４２ｂの回転によってあらかじめ調整しておく。そして、スポンジ付きモップ４３のスポンジモップパッド４４を水槽３１内の図示省略の清掃水中に潜水させ、スポンジモップパッド４４に付着した汚れを洗浄する。ついで、図１６に示すように受板３６と押し板３７との間にスポンジ付きモップ４３のスポンジモップパッド４４と金属板４５とを挿入する。ついでモップ柄４６を図１６中Ａ方向に回動させると金属板４５の前端部と押し板３７の前端部との接触面を支点線Ｐとして押し板３７が図中Ａ方向に回動し、スポンジモップパッド４４は受板３６と押し板３７との間で挟圧され、清掃に好適な所望の含水量に絞られる。そして、絞り出された水は、受板３６にあけられた図示省略の複数の穴及び側面から下方に落ち水槽３１内に溜まる。ついで、モップ柄４６を図１６中Ｂ方向に回動させ、スポンジモップパッド４４及び金属板４５を受板３６と押し板３７との間から抜き取り、次の清掃作業に取りかかる。
【０００７】
【発明が解決しようとする課題】
この従来方式では、汚れた水を含んでいるスポンジ付きモップ４３のスポンジモップパッド４４及び金属板４５を受板３６と押し板３７との間に挿入し、モップ柄４６を図６中Ａ方向に回動させてスポンジモップパッド４４に含まれていた汚水を絞り出す方式であるので、スポンジモップパッド４４に含まれた汚水を絞り出す力が直接受板３６と押し板３７にかかり、したがって受板３６、押し板３７及びその剛性を確保する水槽３１が充分に剛性を有する設計が必要である。すなわち、水槽３１が充分に剛性を有する構造にするため材料代が高くなるとともに水槽自体が重たいものになっていた。
【０００８】
【課題を解決するための手段】
本発明の第一発明は、モップに含まれる清掃水を絞るモップ絞り器であって、同絞り器は軸まわりに回動自在な受板および同受板と間隔を保って取り付けられた押し板を有し、上記モップを上記受板と押し板の間に挿入してモップ柄を押し下げると上記受板が上記軸まわりに回動して上記押し板および受板の間の狭まる間隔に上記モップが挟圧されて上記モップから清掃水が絞られるように構成され、かつ、上記絞り器は、絞られた上記清掃水を受ける水槽の上方支柱に脱着自在に懸架された構成を有することを特徴とするモップ絞り器である。
また本発明の第二発明は、上記第一発明によるモップ絞り器における上記水槽が台車に搭載され、上記モップ絞り器が上記台車に固定された支柱に上記水槽の上方位置で脱着自在に懸架された構成を有するモップ絞り器である。
さらに、本発明の第三発明は、上記第一又は第二発明によるモップ絞り器が、その枠体内に配設された押し板と、上記押し板の下方に上記枠体内に回動自在にかつ上記押し板との間隔がモップの厚さよりも小さい間隔を有するように受板が配置されているモップ絞り器である。
【０００９】
【実施例】
本発明の一実施例を、図１及至図６に図示する実施例で説明する。
図１は実施例のモップ絞り器の斜視図、図２はその正面図、図３はスポンジ付きモップをモップ絞り器に挿入してモップパッドに含まれた清掃水すなわち汚水を絞り出す作用を示す図、図４はモップ絞り器を支柱に懸架した状態の側面図、図５はその正面図、図６は図４の背面図である。
図１及至図６において、１はモップ絞り器、２はモップ絞り器１の断面図コの字型の枠体であり、上下は開口されており、枠体２は背面板２ａと側板２ｂ、２ｂとで構成されている。３は側板２ｂ、２ｂとの間に固定された押圧体である押圧板。なお、この押圧板３は両側端が側板２ｂ、２ｂに固定されていても良く、また、図２に示すように、側板２ｂ、２ｂに固定されてなく枠体２の背面板２ａに固定されていても良い。４は受板で、受板４の両端は断面山型の吊り下げ板５、５が取り付けられており軸６、６で回動自在になっている。７は受板４にあけられた複数の穴である。８ａ、８ａは枠体２の側板２ｂ、２ｂから突設して取り付けられ溝９、９を有する枠体懸架型材、８ｂは枠体２の背面板２ａから突設して取り付けられた図示省略の溝を有する枠体懸架型材。なお、この枠体懸架型材８ａ、８ａ及び枠体懸架型材８ｂは両方ともあっても良く、また一方のみ有っても良い。また、スポンジ付きモップ１０は図３に示すようなもので、１０ａは柄、１０ｂは柄１０ａと固定板１０ｃとを固定する固定杆、１０ｄは金属板で、同金属板１０ｄにスポンジモップパッド１０ｅがマジックテープなどで付着されている。
【００１０】
そして、水槽１１は図４及至図６に示すように台車１２の底板１２ａ上に搭載されている。台車１２は前方に２個のキャスター１２ｂ、１２ｂ、後方に２個のキャスター１２ｃ、１２ｃが取り付けられている。台車１２には上方に伸びた２本の支柱１２ｄ、１２ｄが固定されており、その上端部は上部支柱１２ｅで連結されており、この上部支柱１２ｅには台車１２を押す場合、押す手に具合が良いようにゴム輪１２ｆ等が環装されている。１２ｇは支柱１２ｄ、１２ｄの中間部に固定された中部支柱で、中部支柱１２ｇの両端は下方に伸びて縦支柱１２ｈ、１２ｈを形成し、その先端は更にほぼ直角に曲がって懸架用支柱１２ｉ、１２ｉを形成している。そして、懸架用支柱１２ｉ、１２ｉと支柱１２ｄ、１２ｄとの間には、補強のためにＬ字型の補強用支柱１２ｊ、１２ｊ及びＬ字型補強用支柱１２ｊ、１２ｊ間の上、下に取り付けられた補強用横支柱１２ｋ、１２ｋが取り付けられている。
【００１１】
このように構成された実施例において、図４及至図６に示すようにスポンジ付きモップ１０のスポンジモップパッド１０ｅを水槽１１内の図示省略の清掃水中に潜水させ、スポンジモップパッド１０ｅに付着した汚れを洗浄する。ついで、図３に示すように、スポンジ付きモップ１０の金属板１０ｄ及びスポンジモップパッド１０ｅを押圧板３と受板４との間に挿入し、柄１０ａを図中矢印Ｃ方向に回動させると、受板４が吊り下げ板５、５を介して軸６、６を回転軸として図中矢印方向Ｄに回動し、それに従って押圧板３と受板４との間隔が狭まりスポンジモップパッド１０ｅは圧縮され、スポンジモップパッド１０ｅに含まれた清掃水は、清掃に好適な所望の含水量に絞られる。そして、絞り出された水は、受板４にあけられた複数の穴７、７、７、・・・及び側面から下方に落ち水槽１１内に溜まる。
次に、図３中矢印Ｅ方向に柄１０ａを回動させると、受板４が吊り下げ板５、５を介して軸６、６を回転軸として図中矢印Ｆ方向に回動し、それに従って押圧板３と受板４との間隔が広がりスポンジ付きモップ１０は取れ易くなるので、スポンジ付きモップ１０をモップ絞り器１から取りはずし次の清掃作業を行う。
【００１２】
この場合、スポンジモップパッド１０ｅに含まれる清掃水を絞り出すためには、図３中矢印Ｃ方向に示す柄１０ａにかける力はかなり強い力を加える必要がある。
その際、従来例に示す場合には、柄１０ａに加える強い力に対抗するには水槽を強い強度を持つ設計にしなければならなかったが、本実施例では、柄１０ａにかける強い力は、懸架用支柱１２ｉを介して台車１２全体に伝えられるで、柄１０ａに加える強い力に対抗するために水槽１１の強度を強くする必要はない。
【００１４】
【発明の効果】
以上、本発明の実施例及び他の実施例で述べたように本発明によって次の効果が得られる。
（１）  従来、水槽は、モップに含まれる清掃水を絞り出すために必要な圧搾力に耐えられる強度を有する必要があったが、本発明では水槽の強度はその必要がない。
（２）  したがって、水槽の軽量化が出来る。
（３）  スポンジモップパッドの挟圧する機構がきわめて簡単なので、製作が容易に出来、かつスポンジモップパッドの絞り作業が容易になる。
（４）  構造がシンプルなので、清掃業者のみならず家庭のフローリングに適応した大型化・小型化が可能であり、幅広く使用することが出来る。
（５）  スポンジモップパッドを中央から折り曲げて圧搾して、含まれている水分を絞り出す方式でないので、スポンジモップパッドの劣化を防止できる。
【００１５】
（６）  スポンジモップパッド全面に均一に加わる圧搾力で、含まれている水分を絞り出すので、スポンジモップパッド全面の含水率が均一になり清掃後の清掃ムラが生じない。
（７）  従来、病院等での清掃には、箒掃き、ダストモップ掛け、水拭きの三工程で行っていたのが、スポンジモップ拭きの一工程で済むので、清掃に要する人件費が大幅にコストダウンできる。
（８）  特に病院内での清掃では、均一な水を有するスポンジモップパッドで清掃するので清掃後の乾燥も短時間ですみ院内感染予防に効果的である。
（９）  水槽内でスポンジモップパッドを絞るので、圧搾力で絞り出された水が飛散することがなく衛生的である。
【図面の簡単な説明】
【図１】 本発明の実施例のモップ絞り器の斜視図である。
【図２】 本発明の実施例のモップ絞り器の正面図である。
【図３】 本発明の実施例のモップ絞り器の作用説明図である。
【図４】 本発明の実施例で、モップ絞り器が台車に懸架された状態の側面図である。
【図５】 本発明の実施例で、モップ絞り器が台車に懸架された状態の正面図である。
【図６】 本発明の実施例で、モップ絞り器が台車に懸架された状態の背面図である。
【図７】 従来のスポンジ付モップの斜視図である。
【図８】 従来のスポンジ付きモップの絞られた位置にある状態を示す部分拡大斜視図である。
【図９】 従来のモップ絞り器の斜視図である。
【図１０】 従来のモップ絞り器の側断面図である。
【図１１】 スポンジ付きモップの正面図である。
【図１２】 スポンジ付きモップの側面図である。
【図１３】 スポンジ付きモップの絞り状態を示す従来のモップ絞り器の作用説明図である。
【符号の説明】
１・・・モップ絞り器
２・・・枠体
２ａ・・・背面板
２ｂ・・・側板
３・・・押圧板
４・・・受板
５・・・吊り下げ板
６・・・軸
７・・・穴
８ａ・・・枠体懸架型材
８ｂ・・・枠体懸架型材
９・・・溝
１０・・・スポンジ付きモップ
１０ａ・・・柄
１０ｂ・・・固定杆
１０ｃ・・・固定板
１０ｄ・・・金属板
１０ｅ・・・スポンジモップパッド
１１・・・水槽
１２・・・台車
１２ａ・・・底板
１２ｂ・・・前方キャスター
１２ｃ・・・後方キャスター
１２ｄ・・・支柱
１２ｅ・・・上部支柱
１２ｆ・・・ゴム輪
１２ｇ・・・中部支柱
１２ｈ・・・縦支柱
１２ｉ・・・懸架用支柱
１２ｊ・・・補強用支柱
１２ｋ・・・補強用支柱
【図１】
0004043749.tif 000002
【図２】
0004043749.tif 000003
【図３】
0004043749.tif 000004
【図４】
0004043749.tif 000005
【図５】
0004043749.tif 000006
【図６】
0004043749.tif 000007
【図７】
0004043749.tif 000008
【図８】
0004043749.tif 000009
【図９】
0004043749.tif 000010
【図１０】
0004043749.tif 000011
【図１１】
0004043749.tif 000012
【図１２】
0004043749.tif 000013
【図１３】
0004043749.tif 000014